(57)【要約】【課題】  小柄な人でも大型のベッドを使用することができ、ベッドがあらゆる角度に回動してもベッドから外れることのないカイロプラクティック用ベッドの踏台を提供する。【解決手段】  本発明のカイロプラクティック用ベッドの踏台２０は、カイロプラクティック用ベッドに設けられた板状の基部に載置可能な本体部２１と、該本体部に設けられた踏み板と、前記本体部に回動自在に設けられた係止レバー２３，２３と、該係止レバーの先端部に設けられカイロプラクティック用ベッドの被係止部と係合する係止部２３ｂとを有する。また、本体部２１の下面には、ベッドの基部の先端部と係合する係合部２１ａを有する。【選択図】      図１
2007296251.tif 000002
【特許請求の範囲】
【請求項１】
カイロプラクティック用ベッドに設けられた板状の基部に載置可能な本体部と、該本体部に設けられた踏み板と、前記本体部に回動自在に設けられた係止レバーと、該係止レバーの先端部に設けられカイロプラクティック用ベッドの被係止部と係合する係止部と、を有することを特徴とするカイロプラクティック用ベッドの踏台。
【請求項２】
前記係止レバーが弾性部材により前記被係止部と係合する方向に付勢され、前記係止レバーの先端に前記係止部と被係止部との係合をガイドする案内斜面を備えていることを特徴とする請求項１記載のカイロプラクティック用ベッドの踏台。
【請求項３】
前記本体部が、前記板状の基部の先端と係合する係合部を有することを特徴とする請求項１又は２記載のカイロプラクティック用ベッドの踏台。
【発明の詳細な説明】
【技術分野】
【０００１】
本発明はカイロプラクティックに使用されるベッドに関し、特に、カイロプラクティック用ベッドに適した踏台に関する。
【背景技術】
【０００２】
カイロプラクティックとは、背骨や骨盤の歪みを徒手によって矯正する治療法のことである。このカイロプラクティックに、トムソンテクニックという治療体系があり、ここでは、図４に示すような電動のドロップテーブルと称するカイロプラクティック用ベッド１０（以下「ベッド１０」という）を使用する。このベッド１０は、頚椎部１１、胸椎部１２、腰椎部１３、骨盤部１４に分かれており、それぞれの部分にドロップ機能が付いている。また、このベッド１０は回動可能で、図示のような縦に傾斜した位置から、水平の位置までと任意の角度に傾斜角度を変更することができる。
【０００３】
被治療者は、ベッド１０を図４に示すような立った状態にし、板状の基部１５の上に立ってベッド１０に凭れるように寄りかかって治療が始まることになる。ベッド１０と被治療者の身長とを大凡合わせるために、頚椎部１１、胸椎部１２、腰椎部１３は、それぞれスライド可能になっている。
【０００４】
しかしながら、従来のベッド１０は外国製のベッドなので大型で、スライドをいっぱいに縮める方向に移動しても、身長が１８０ｃｍより小さい人には合わず、被治療者の頭部が頚椎部１１に届かない場合が多く生じる。そこで、基部１５に踏台を載せることが考えられるが、ベッド１０は前述のように、多様な角度に傾斜するので、単に、踏台を基部１５に載せたのでは、ベッド１０が回動したとき滑り落ちて、危険である。
【発明の開示】
【発明が解決しようとする課題】
【０００５】
本発明は、このような事実から考えられたもので、小柄な人でも大型のベッドを使用することができ、ベッドがあらゆる角度に回動してもベッドから外れることのないカイロプラクティック用ベッドの踏台を提供することを目的としている。
【課題を解決するための手段】
【０００６】
上記の目的を達成するために本発明のカイロプラクティック用ベッドの踏台は、カイロプラクティック用ベッドに設けられた板状の基部に載置可能な本体部と、該本体部に設けられた踏み板と、前記本体部に回動自在に設けられた係止レバーと、該係止レバーの先端部に設けられカイロプラクティック用ベッドの被係止部と係合する係止部と、を有することを特徴としている。
【０００７】
前記係止レバーが弾性部材により前記被係止部と係合する方向に付勢され、前記係止レバーの先端に前記係止部と被係止部との係合をガイドする案内斜面を備えている構成としたり、前記本体部が、前記板状の基部の先端と係合する係合部を有する構成とすることができる。
【発明の効果】
【０００８】
踏台の本体部をベッドに形成された板状の基部に載せ、係止レバーの係止部をベッドの被係止部と係合させて踏台をベッドに係止する。踏台はベッドに係止され、ベッドがどのような角度に回動しても、踏台が外れることはない。そして、踏台として機能し、小柄な人でもベッドを使用することができることになる、という優れた効果を奏し得る。
【発明を実施するための最良の形態】
【０００９】
以下、本発明の実施の形態を添付図面を参照して説明する。
【００１０】
図１は、本発明のカイロプラクティック用ベッド（以下「ベッド」という）の踏台を示す斜視図で、図２は図１のＡ−Ａ線断面図である。
【００１１】
これらの図に示すように、本発明カイロプラクティック用ベッドの踏台（以下単に「踏台」という）２０は、四角形で中空な本体部２１の中空部にコ字型をした支持枠２２を固定し、これに突設した軸２４に、それぞれ細幅の板状をした係止レバー２３，２３を回動自在になるように支持している。２本の係止レバー２３，２３は、一端を取手２５で連結されている。本体部２１の上面は踏み板となり、ここにゴム製の板２６が取り付けられている。実施例では、この板２６以外はすべて金属製であるが、金属製に限定されるものではない。ゴム製の板２６には、細い溝が平行に多数形成され、これが滑止となる。係止レバー２３の取手２５近くには、バネ２７があって係止レバー２３を図２における反時計方向に付勢している。
【００１２】
係止レバー２３は、先端が斜めに形成されて案内斜面２３ａとなっており、これに隣接して半円形の凹部からなる係止部２３ｂを形成している。
【００１３】
また、本体部２１の一方の下部には、本体部２１の底面を延長し、折り返して形成したフック状の係合部２１ａがある。
【００１４】
次に、この踏台２０の取り付け方を説明する。
【００１５】
図４に示すように、ベッド１０の基部１５には、基部１５をベッド１０に取り付けるためのシャフト１５ａが設けられているが、このシャフト１５ａが踏台２０を取り付ける被係止部となる。また、基部１５の両側には、三角形の側板１５ｂ，１５ｂがある。
【００１６】
踏台２０の本体部２１を基部１５上に載せ、図１の矢印方向に押し込むと、本体部２１が側板１５ｂ，１５ｂ間に進入し、係止レバー２３の先端がシャフト１５ａに接触する位置に達する。係止レバー２３の先端には案内斜面２３ａがあるので、踏台２０をさらに押し込むと、シャフト１５ａが案内斜面２３ａを押し、係止レバー２３は、バネ２７の付勢力に抗して図２における時計方向に若干の角度だけ回転する。踏台２０をさらに押し込むと、シャフト１５ａと係止部２３ｂが重なり、係止レバー２３が反時計方向に回転し、係止部２３ｂ内にシャフト１５ａが入り込む。入り込んだ後は、踏台２０を引きだそうとしても係止部２３ｂが被係止部としてのシャフト１５ａにはまり込んでいるので、引き出すことができなくなる。また、バネ２７の付勢力によって、係止レバー２３は反時計方向に付勢され、シャフト１５ａが係止部２３ｂが抜け出ることはできなくなる。このとき、踏台２０の下部にある係合部２１ａに基部１５の先端部１５ｃが入り込んで踏台２０の浮き上がりを防止する。図３はベッド１０に踏台２０を取り付けた状態を示す斜視図である。
【００１７】
踏台２０をベッド１０から外す場合は、次のようにする。まず、取手２５を手て掴み、図２の上方に持ち上げる。これによって、係止レバー２３は時計方向に回転し、係止部２３ｂから被係止部としてのシャフト１５ａが抜け出る。シャフト１５ａが抜け出たら、踏台２０を図１の矢印と反対方向に引き出す。これで踏台２０を取り外すことができる。
【００１８】
以上に説明したように、本発明の踏台２０は、ベッド１０に簡単に取り付けることができ、同時に簡単に取り外すことができる。また、係止部２３ｂと被係止部としてのシャフト１５ａとが係合するので、ベッド１０がどのような角度に回転しても、踏台２０がベッドから外れることがなく、安心して使用することができる。そして、踏台２０を使用することによって、小柄な人でもベッド１０を使用することが可能となる。
【図面の簡単な説明】
【００１９】
【図１】本発明のカイロプラクティック用ベッドの踏台を示す斜視図である。
【図２】図１のＡ−Ａ線断面図である。
【図３】本発明の踏台を取り付けた状態を示すカイロプラクティック用ベッドの斜視図である。
【図４】従来のカイロプラクティック用ベッドの斜視図である。
【符号の説明】
【００２０】
１０      カイロプラクティック用ベッド
１５      基部
１５ａ    シャフト（被係止部）
１５ｃ    先端部
２０      踏台
２１      本体部
２１ａ    係合部
２３      係止レバー
２３ａ    案内斜面
２３ｂ    係止部
【図１】
2007296251.tif 000003
【図２】
2007296251.tif 000004
【図３】
2007296251.tif 000005
【図４】
2007296251.tif 000006